(57)【要約】【課題】  着脱の操作を容易に行うことができ、安定した取り付けが可能で、かつ経済的な駆虫用首輪を実現する。【解決手段】  本考案の駆虫用首輪は、本体部１と薬剤部２とを備えており、本体部１および薬剤部２の一方には凸部が設けられ、他方には凹部が設けられている。これら凸部と凹部とが嵌合可能となっている。【選択図】  図１
0003102684.tif 000002
【実用新案登録請求の範囲】
【請求項１】
本体部と薬剤部とを備えた駆虫用首輪であって、
上記本体部および薬剤部の一方には凸部が設けられ、他方には凹部が設けられており、
上記凸部と凹部とが嵌合可能となっていることを特徴とする駆虫用首輪。
【請求項２】
上記凸部および凹部は、本体部および薬剤部の長手方向に向かって連続的または断続的に設けられていることを特徴とする請求項１に記載の駆虫用首輪。
【請求項３】
上記凸部および凹部は、短手方向の断面が湾曲状またはテーパ状となるように形成されていることを特徴とする請求項１または２に記載の駆虫用首輪。
【考案の詳細な説明】
【技術分野】
【０００１】
本考案は、駆虫用首輪に関するものである。より詳しくは、犬や猫等の動物の首に装着するだけで、動物に寄生するノミやダニを駆除することができる駆虫用首輪に関するものである。
【背景技術】
【０００２】
犬や猫等のペットには、ノミやダニといった害虫が寄生することがある。このため、従来から、犬や猫等に用いる首輪として、ノミやダニを駆除するための駆虫効果を有する駆虫用首輪が広く使われている（例えば、特許文献１、２参照）。
【０００３】
特許文献１では、犬や猫に寄生するノミやダニなどを駆除するための犬猫用駆虫首輪が開示されている。この犬猫用駆虫首輪は、首輪状駆除虫剤として駆虫シートを用いている。また、駆虫シートは離着可能な粘着層によって首輪体の内側裏面に装着されている。
【０００４】
特許文献２では、緩効性の害虫忌避剤を繊維性シートに含浸、または塗布したものを組紐状の扁平筒状体に編み込み尾錠のピン先が貫通する部分には繊維性シートを除去した構造の防虫首輪が開示されている。これにより、忌避剤は扁平筒状体の編目から徐々に放散され長期的な防虫効果を有するものとなっている。
【特許文献１】実開昭５７−６９５６４号公報（昭和５７年(1982)４月２６日公開）
【特許文献２】実開平１−６６８５９号公報（平成１年(1989)６月１４日公開）
【考案の開示】
【考案が解決しようとする課題】
【０００５】
しかしながら、上記特許文献１に記載の犬猫用駆虫首輪は、駆虫シートと首輪体との接着に両面粘着シートを用いているため、両面粘着シートの粘着力の強弱によっては駆虫シートと首輪体との安定した接着を得ることができない場合がある。すなわち、両面粘着シートの粘着力が強すぎる場合には、首輪体から駆虫シートを取り外すことが困難であったり、両面粘着シートの粘着力が弱すぎる場合には、首輪体から駆虫シートが容易に外れてしまったりする。このため、駆虫シートの交換装着ができるようになっているものの、駆虫シートと粘着層との安定した接着が得られないという問題点を有している。
【０００６】
また、上記特許文献２に記載の防虫首輪は、害虫忌避剤を含浸または塗布した繊維性シートを首輪に直接編みこむ構成となっており、防虫効果が無くなった後には首輪ごと交換する必要がある。このため、長期的な防虫効果を有すると記載されているものの、通常防虫効果が持続する期間は数ヶ月であり、数ヶ月毎に首輪を交換することとなる。すなわち、数ヶ月毎に首輪を買い換えなければならず、非経済的であるという問題点を有している。
【０００７】
本考案は、上記の問題点に鑑みてなされたものであり、その目的は、首輪の本体部と薬剤部とが着脱可能であって、着脱の操作を容易に行うことができ、安定した取り付けが可能で、かつ経済的な駆虫用首輪を実現することにある。
【課題を解決するための手段】
【０００８】
本考案に係る駆虫用首輪は、上記課題を解決するために、本体部と薬剤部とを備えた駆虫用首輪であって、上記本体部および薬剤部の一方には凸部が設けられ、他方には凹部が設けられており、上記凸部と凹部とが嵌合可能となっていることを特徴としている。
【０００９】
上記の構成によれば、凸部および凹部が嵌合可能になっていることにより、本体部と薬剤部とを確実に嵌め合わせることができるとともに、着脱を容易に行うことができるという効果を奏する。また、本体部と薬剤部とを着脱可能とすることができるため、薬剤部を薬剤の消費量に応じて交換可能とすることができ、経済的であるという効果も併せて奏する。
【００１０】
本考案に係る駆虫用首輪では、上記凸部および凹部は、本体部および薬剤部の長手方向に向かって連続的または断続的に設けられていることことが好ましい。
【００１１】
上記凸部および凹部が、本体部および薬剤部の長手方向に向かって連続的または断続的に設けられているため、本体部に薬剤部を安定して取り付けることができる。また、例えば、薬剤部が薬剤の消費により縮む場合であっても、その縮みに伴って移動可能となる。このため、本考案の駆虫用首輪を犬や猫等に装着した際に、常に一定の締め付け力を保つことができるというさらなる効果を奏する。
【００１２】
本考案に係る駆虫用首輪では、上記凸部および凹部は、短手方向の断面が湾曲状またはテーパ状となるように形成されていることが好ましい。上記凸部および凹部は、短手方向の断面が湾曲状またはテーパ状となるように形成されていることから、凸部および凹部を嵌合することにより、本体部と薬剤部とが容易に外れてしまうことを防止することができるというさらなる効果を奏する。
【考案の効果】
【００１３】
本考案に係る駆虫用首輪は、以上のように、本体部および薬剤部の一方には凸部が設けられ、他方には凹部が設けられており、上記凸部と凹部とが嵌合可能となっているので、本体部と薬剤部とを確実に嵌め合わせることができるとともに、着脱を容易に行うことができるという効果を奏する。また、薬剤部を薬剤の消費量に応じて交換可能とすることができ、経済的であるという効果も併せて奏する。
【考案を実施するための最良の形態】
【００１４】
〔実施の形態１〕
本考案の第１の実施の形態について図１ないし図３に基づいて説明すると以下の通りである。本考案にかかる駆虫用首輪は、犬や猫等の動物に装着する首輪の本体部の内側に、ノミやダニ等の害虫を駆除するための薬剤部が取り付けられた構成を有している。本考案にかかる構成を有することにより、本体部と薬剤部との着脱が容易になる。また、本体部に薬剤部を取り付けた後の首輪の周囲表面は平坦であり、突起状の部分を有していないため犬や猫等に装着しても体を傷つけることを防止することができる。以下、具体的に説明する。
【００１５】
図１は、本実施の形態にかかる駆虫用首輪の概略構成を示す斜視図である。図１に示す駆虫用首輪は、本体部１と薬剤部２とを備えている。また、図２（ａ）および（ｂ）は、本実施の形態にかかる本体部１および薬剤部２の概略構成を示す斜視図であり、図２（ｃ）は、上記本体部１に薬剤部２が取り付けられた状態の駆虫用首輪の概略を示す斜視図である。
【００１６】
本体部１とは、いわゆる首輪の本体部分であり、首輪を犬や猫等に装着した際に外部に露出する部分である。本体部１は、例えば、革からなっている。薬剤部２とは、ノミやダニを駆除するための駆虫剤を含む部分である。薬剤部２は、例えば、プラスチック、不織布、布等からなっており、プラスチックとしては、例えば、塩化ビニル樹脂やポリエチレン系樹脂を挙げることができる。
【００１７】
また、薬剤部２には、薬剤が含浸または含有されており、薬剤を徐放（ブリード）することによって、害虫駆除の効力を有するようになっている。また、用いる薬剤は、ノミやダニ等の害虫を駆除することが可能な薬剤であればよく、特に限定されるものではないが、例えば、ピレスロイド系の駆虫剤を挙げることができる。
【００１８】
また、薬剤部２は、本体部１に取り付けた際に、突起状の部分がなく平坦となるような形状であることが好ましい。このような構成とすることにより、本考案の駆虫用首輪を犬や猫等に装着した際に、犬や猫等の首に不要に当たる部分がなくなる。
【００１９】
図２（ａ）に示すように、本体部１は凸部３ａを有しており、図２（ｂ）に示すように、薬剤部２は凹部３ｂを有している。これら凸部３ａおよび凹部３ｂを嵌合することによって、図２（ｃ）に示すように、本体部１に薬剤部２が取り付けられる。
【００２０】
上記凸部３ａおよび凹部３ｂは、互いに嵌合することのできる形状であればよく、特に限定されるものではない。すなわち、本体部１と薬剤部２との取り付けが容易であり、かつ、簡単に外れてしまうことのない形状であればよい。図２（ａ）および（ｂ）に示す構成では、凸部３ａは湾曲状の突起部であり、凹部３ｂは、凸部３ａの湾曲状に対応した湾曲状の窪みとなっている。すなわち、凸部３ａおよび凹部３ｂは、その短手方向の断面が湾曲状となるように形成されている。この湾曲状の突起部を窪みに嵌め込むことにより、本体部１に薬剤部２を取り付けることが可能となる。
【００２１】
なお、上記凸部３ａの数は特に限定されるものではなく、本体部１に薬剤部２を安定して取り付けることができる程度の数を有していればよい。従って、本体部１上に少なくとも１個の凸部３ａを有していればよく、より安定した嵌合をするためには複数個の凸部３ａを有していることが好ましい。また、上記凸部３ａが設けられる箇所についても特に限定されるものではないが、より安定した嵌合を行うために、本体部１の長手方向に沿って設けられていることが好ましい。
【００２２】
一方、上記凹部３ｂは、本体部１に設けられた凸部３ｂと嵌合することができるように形成されていればよく、上記凸部３ａが本体部１の長手方向に沿って設けられている場合には、凹部３ｂも凸部３ａと対応するように薬剤部２の長手方向に沿って設けられる。
【００２３】
なお、薬剤が徐放されることによって、薬剤の体積は小さくなる。このため、薬剤部２は、薬剤の消費に伴って短くなっていく。従って、本体部１と薬剤部２とを完全に固定した状態にしてしまうと、薬剤部２が縮むことで犬や猫等の首を圧迫してしまうことになる。このため、薬剤部２は、その縮みに伴って移動可能であることが好ましい。すなわち、薬剤部２は、本体部１に取り付けられた状態であっても、長手方向には自由に移動可能な状態となっていることが好ましい。
【００２４】
従って、上記薬剤部２に形成される凹部３ｂは、薬剤部２が縮んだ場合に本体部１に設けられた凸部３ａが凹部３ｂに沿って移動することができる程度の長さを有していることが好ましい。すなわち、凸部３ａは、薬剤部２の長手方向の全長に渡って連続的に形成されていてもよく、断続的に形成されていてもよい。凹部３ｂを断続的に形成する場合には、薬剤部２が縮む長さを考慮して形成すればよい。例えば、薬剤部２が全長に対して３０％縮む場合には、凸部３ａは、薬剤部２が縮む長さと同じ長さだけ移動することができるように、凹部３ｂを形成すればよい。
【００２５】
これに対応して、上記本体部１に設けられる凸部３ａの長手方向の長さは、凹部３ｂが断続的に形成されている場合であっても、薬剤部２の縮みに伴って移動することができる程度の長さであればよい。
【００２６】
この場合、例えば、凸部は図３（ａ）に示すような球状であることが好ましく、凹部は図３（ｂ）に示すように窪みが断続的に形成されていることが好ましい。図３（ａ）・（ｂ）の構成を有する場合であっても、これら凸部４ａおよび凹部４ｂを嵌合させることによって、図３（ｃ）に示すように、本体部１に薬剤部２を取り付けることができる。
【００２７】
また、本考案の駆虫用首輪は、犬や猫等の首に装着した際に、薬剤部２が外部に露出していないことが好ましい。従って、薬剤部２は、その幅が本体部１の幅と同一か、若しくは僅かに短い程度であることが好ましい。また、薬剤部２の一部が本体部１に埋め込まれる構成であってもよい。
【００２８】
また、薬剤部２の長さは、本体部１の長さと同じ長さであることが好ましい。ただし、本体部１には、犬や猫等に装着する際に固定するための尾錠が設けられているため、本体部１の長さと同じ長さとすることが困難な場合がある。この場合には、薬剤部２は、本体部１に取り付けることができる範囲内でより長いことが好ましい。
【００２９】
薬剤部２の長手方向の端部は、断ち切り状でもよく、テーパ状でもよく、湾曲状でもよい。テーパ状や湾曲状とした場合には、取扱う際に角で傷付くこともなく、見た目もよい。
【００３０】
また、本体部１は革等にて製造されているためある程度の柔軟性がある。このため、薬剤部２を着脱する際には、薬剤部２が着脱できる程度に本体部１を折り曲げればよく、着脱を容易に行うことができる。このようにして、上記凸部３ａ・４ａおよび凹部３ｂ・４ｂを嵌合させることによって、本体部１に薬剤部２を確実に取り付けることが可能となるとともに、使用時に外れてしまうことを防止することができる。
【００３１】
さらに、凸部３ａ・４ａと凹部３ｂ・４ｂとが一定の長さにて形成されているため、薬剤部２が縮んだ場合であっても、薬剤部２は移動可能となっている。これにより、本体部１と薬剤部２とを安定した取り付け状態にすることができるとともに、長さ方向の縮みに対応することができる駆虫用首輪となっている。
【００３２】
なお、本実施の形態においては、本体部に凸部を設け、薬剤部に凹部を形成した形態について説明したが、本体部に凹部を形成し、薬剤部に凸部を設けた場合についても同様である。
【００３３】
〔実施の形態２〕
本考案の第２の実施の形態について図４に基づいて説明する。本実施の形態では、上記第１の実施の形態にて説明した本体部および薬剤部に設けられた凸部および凹部の形状が異なるものである。図４（ａ）・（ｂ）は、本実施の形態にかかる本体部および薬剤部の概略構成を示す斜視図であり、図４（ｃ）は、本体部に薬剤部が取り付けられた状態の駆虫用首輪の概略構成を示す斜視図である。
【００３４】
図４（ａ）・（ｂ）に示すように、本実施の形態にかかる本体部１は凹部５ｂを有しており、薬剤部２は凸部５ａを有している。これら凹部５ｂおよび凸部５ａを互いに嵌合することによって、図４（ｃ）に示すように、本体部１に薬剤部２が取り付けられている。
【００３５】
本実施の形態にかかる凸部５ａは、薬剤部２に設けられており、薬剤部２から離れるに従って幅が大きくなっている形状を有する突起部である。また、凹部５ｂは、この突起部に対応した形状を有する窪みである。すなわち、凸部５ａおよび凹部５ｂは、その短手方向の断面が、いわゆるテーパ状となるように形成されている。
【００３６】
上記のように、凸部５ａおよび凹部５ｂが上記形状を有しているため、これら凸部５ａおよび凹部５ｂを嵌合させることによって、本体部１に薬剤部２を安定して取り付けることが可能となり、使用時に本体部１と薬剤部２とが外れてしまうことを防止することができるようになっている。
【００３７】
なお、本実施の形態においては、上記実施の形態１に対して凸部および凹部の形状が異なるのみであり、他の構成については同様にすればよい。例えば、凸部５ａや凹部５ｂの数や形成する箇所については特に限定されるものではなく、本体部１に薬剤部２を取り付けることができるように形成すればよい。また、凸部５ａおよび凹部５ｂの長さについても、薬剤部２の縮みに伴って、薬剤部２が移動することのできるように形成されていればよい。また、本体部１と薬剤部２との着脱も同様にして行うことができる。
【００３８】
なお、本実施の形態においては、本体部に凹部を設け、薬剤部に凸部を形成した形態について説明したが、本体部に凸部を形成し、薬剤部に凹部を設けた場合についても同様である。
【００３９】
〔実施の形態３〕
本考案の第３の実施の形態について図５に基づいて説明する。本実施の形態では、上記第１の実施の形態にて説明した本体部および薬剤部に設けられた凸部および凹部の形状が異なるものである。図５（ａ）・（ｂ）は、本実施の形態にかかる本体部および薬剤部の概略構成を示す斜視図であり、図５（ｃ）は、本体部に薬剤部が取り付けられた状態の駆虫用首輪の概略構成を示す斜視図である。
【００４０】
図５（ａ）・（ｂ）に示すように、本実施の形態にかかる本体部１は凹部６ｂを有しており、薬剤部２は凸部６ａを有している。これら凹部６ｂおよび凸部６ａを互いに嵌合することによって、図５（ｃ）に示すように、本体部１に薬剤部２が取り付けられている。
【００４１】
本実施の形態にかかる凸部６ａは、薬剤部２に設けられており、薬剤部２の短手方向に突起部が設けられた形状を有している。また、本体部１の凹部６ｂは、上記突起部に対応した形状を有する窪みである。
【００４２】
上記のように、凸部６ａおよび凹部６ｂが上記形状を有しているため、これら凸部６ａおよび凹部６ｂを嵌合させることによって、本体部１に薬剤部２を取り付けることができる。また、本実施の形態においては、薬剤部２の一部が本体部１に埋設された構成を有している。すなわち、薬剤部２は、一部が本体部１内に埋め込まれ、他の部分が外部に露出した構成を有している。これにより、本体部１に薬剤部２を安定して取り付けることが可能となり、使用時に本体部１と薬剤部２とが外れてしまうことを防止することができるようになっている。また、駆虫用首輪を犬や猫等に装着する際に、薬剤部２が露出する面を犬や猫等の首に向けて装着することにより、駆虫効果を得ることもできるようになっている。
【００４３】
なお、本実施の形態においては、上記実施の形態１に対して凸部および凹部の形状が異なるのみであり、他の構成については同様にすればよい。例えば、凸部６ａや凹部６ｂの数や形成する箇所については特に限定されるものではなく、本体部１に薬剤部２を取り付けることができるように形成すればよい。また、凸部６ａおよび凹部６ｂの長さについても、薬剤部２の縮みに伴って、薬剤部２が移動することのできるように形成されていればよい。また、本体部１と薬剤部２との着脱も同様にして行うことができる。
【００４４】
〔実施の形態４〕
本考案の第４の実施の形態について図６に基づいて説明する。本実施の形態では、上記第１の実施の形態にて説明した本体部および薬剤部に設けられた凸部および凹部の形状が異なるものである。図６（ａ）・（ｂ）は、本実施の形態にかかる本体部および薬剤部の概略構成を示す斜視図であり、図６（ｃ）は、本体部に薬剤部が取り付けられた状態の駆虫用首輪の概略構成を示す斜視図である。
【００４５】
図６（ａ）・（ｂ）に示すように、本実施の形態にかかる本体部１は凸部７ａを有しており、薬剤部２は凹部７ｂを有している。これら凸部７ａおよび凹部７ｂを互いに嵌合することによって、図６（ｃ）に示すように、本体部１に薬剤部２が取り付けられている。
【００４６】
図６（ａ）・（ｂ）に示すように、本実施の形態にかかる凸部７ａは、本体部１に設けられており、本体部１の短手方向に突起部が設けられた形状を有している。すなわち、いわゆるコの字型の形状の内部側面に突起部を有する構成である。また、薬剤部２の凹部は、上記突起部に対応した形状を有する窪みであり、いわゆるエの字型の形状を有する構成である。
【００４７】
上記のように、凸部７ａおよび凹部７ｂが上記形状を有しているため、これら凸部７ａおよび凹部７ｂを嵌合させることによって、本体部１に薬剤部２を取り付けることができる。また、本実施の形態においては、薬剤部２の一部が本体部１に埋設された構成を有している。すなわち、薬剤部２は、一部が本体部１内に埋め込まれ、他の部分が外部に露出した構成を有している。これにより、本体部１に薬剤部２を安定して取り付けることが可能となり、使用時に本体部１と薬剤部２とが外れてしまうことを防止することができるようになっている。また、駆虫用首輪を犬や猫等に装着する際に、薬剤部２が露出する面を犬や猫等の首に向けて装着することにより、駆虫効果を得ることもできるようになっている。
【００４８】
なお、本実施の形態においては、上記実施の形態１に対して凸部および凹部の形状が異なるのみであり、他の構成については同様にすればよい。例えば、凸部７ａや凹部７ｂの数や形成する箇所については特に限定されるものではなく、本体部１に薬剤部２を取り付けることができるように形成すればよい。また、凸部７ａおよび凹部７ｂの長さについても、薬剤部２の縮みに伴って、薬剤部２が移動することのできるように形成されていればよい。また、本体部１と薬剤部２との着脱も同様にして行うことができる。
【００４９】
なお、本実施の形態においては、本体部に凸部を設け、薬剤部に凹部を形成した形態について説明したが、本体部に凹部を形成し、薬剤部に凸部を設けた場合についても同様である。
【００５０】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【産業上の利用可能性】
【００５１】
以上のように、本考案にかかる駆虫用首輪は、本体部と薬剤部との着脱が容易であるとともに、安定した取り付けを可能とし、かつ、経済的なものとすることができる。それゆえ、本考案は、犬や猫等の首輪を製造する産業分野や、駆虫用の薬剤を製造する産業分野、薬剤層を製造する産業分野に好適に用いることができる。
【図面の簡単な説明】
【００５２】
【図１】本考案の実施の一形態における駆虫用首輪の概略構成を示す斜視図である。
【図２】本考案の実施の一形態を示すものであり、（ａ）は、本体部の概略構成を示す斜視図であり、（ｂ）は、薬剤部の概略構成を示す斜視図であり、（ｃ）は、本体部に薬剤部が取り付けられた状態の概略構成を示す斜視図である。
【図３】本考案の実施の一形態を示すものであり、（ａ）は、本体部の概略構成を示す斜視図であり、（ｂ）は、薬剤部の概略構成を示す斜視図であり、（ｃ）は、本体部に薬剤部が取り付けられた状態の概略構成を示す斜視図である。
【図４】本考案の他の実施の形態を示すものであり、（ａ）は、本体部の概略構成を示す斜視図であり、（ｂ）は、薬剤部の概略構成を示す斜視図であり、（ｃ）は、本体部に薬剤部が取り付けられた状態の概略構成を示す斜視図である。
【図５】本考案のさらに他の実施の形態を示すものであり、（ａ）は、本体部の概略構成を示す斜視図であり、（ｂ）は、薬剤部の概略構成を示す斜視図であり、（ｃ）は、本体部に薬剤部が取り付けられた状態の概略構成を示す斜視図である。
【図６】本考案のさらに他の実施の形態を示すものであり、（ａ）は、本体部の概略構成を示す斜視図であり、（ｂ）は、薬剤部の概略構成を示す斜視図であり、（ｃ）は、本体部に薬剤部が取り付けられた状態の概略構成を示す斜視図である。
【符号の説明】
【００５３】
１    本体部
２    薬剤部
３ａ・４ａ・５ａ・６ａ  凸部
３ｂ・４ｂ・５ｂ・６ｂ  凹部
【図１】
0003102684.tif 000003
【図２】
0003102684.tif 000004
【図３】
0003102684.tif 000005
【図４】
0003102684.tif 000006
【図５】
0003102684.tif 000007
【図６】
0003102684.tif 000008